(57)【要約】【課題】開封性を向上できるゲーブルトップ型容器を提供すること。【解決手段】ゲーブルトップ型容器１は、筒状胴部２と、筒状胴部２の下端に連設された底部３と、筒状胴部２の上端に連設された切妻屋根４とを備え、切妻屋根４は、互いに対向する一対の屋根パネル４２と、一対の屋根パネル４２の対向方向に交差する方向で対向し、一対の屋根パネル４２の間に折り込まれる第１、第２、第３妻壁パネル４３、４５と、一対の屋根パネル４２の上端部および第１、第２、第３妻壁パネル４３、４５の上端部が接合されて形成されたトップシール４６とを備え、第１、第３妻壁パネル４３、４５は、交差する方向の一方側から一対の屋根パネル４２の間に折り込まれ、第２妻壁パネルは、交差する方向の他方側から一対の屋根パネル４２の間に折り込まれ、第１妻壁パネル４３および第３妻壁パネル４５の一方は、他方に接着される糊代部４５６を備えている。【選択図】図２
2017178389.tif 000002
【特許請求の範囲】
【請求項１】
ゲーブルトップ型容器であって、
筒状胴部と、
前記筒状胴部の下端に連設された底部と、
前記筒状胴部の上端に連設された切妻屋根とを備え、
前記切妻屋根は、
互いに対向する一対の屋根パネルと、
前記一対の屋根パネルの対向方向に交差する方向で対向し、前記一対の屋根パネルの間に折り込まれる第１、第２、第３妻壁パネルと、
前記一対の屋根パネルの上端部および前記第１、第２、第３妻壁パネルの上端部が接合されて形成されたトップシールとを備え、
前記第１、第３妻壁パネルは、前記交差する方向の一方側から前記一対の屋根パネルの間に折り込まれ、
前記第２妻壁パネルは、前記交差する方向の他方側から前記一対の屋根パネルの間に折り込まれ、
前記第１妻壁パネルおよび前記第３妻壁パネルの一方は、前記第１妻壁パネルおよび前記第３妻壁パネルの他方に接着される糊代部を備えていることを特徴とするゲーブルトップ型容器。
【請求項２】
請求項１に記載のゲーブルトップ型容器において、
前記切妻屋根は、前記第１妻壁パネルおよび前記第３妻壁パネルの前記他方に連なって形成された引張片を備えていることを特徴とするゲーブルトップ型容器。
【請求項３】
請求項１または請求項２に記載のゲーブルトップ型容器において、
前記糊代部は、前記トップシールを含む平面に沿って設けられていることを特徴とするゲーブルトップ型容器。
【請求項４】
ゲーブルトップ型容器を構成するゲーブルトップ型容器用パネルであって、
前記ゲーブルトップ型容器の筒状胴部を構成する複数の胴部パネルと、
前記ゲーブルトップ型容器の底部を構成する複数の底部パネルと、
前記ゲーブルトップ型容器の切妻屋根を構成する一対の屋根パネルと、
前記一対の屋根パネルとともに前記切妻屋根を構成する第１、第２、第３妻壁パネルとを備え、
前記複数の胴部パネルは、互いに第１方向に連なり、
前記複数の底部パネルは、互いに前記第１方向に連なるとともに、前記複数の胴部パネルの前記第１方向に直交する第２方向の一端に連なり、
前記一対の屋根パネルおよび前記第１、第２、第３妻壁パネルは、前記第１妻壁パネル、前記一対の屋根パネルの一方、前記第２妻壁パネル、前記一対の屋根パネルの他方、前記第３妻壁パネルの順に前記第１方向に連なるとともに、前記複数の胴部パネルの前記第２方向の他端に連なり、
前記第１妻壁パネルおよび前記第３妻壁パネルの一方は、前記第１妻壁パネルおよび前記第３妻壁パネルの他方に接着される糊代部を備えていることを特徴とするゲーブルトップ型容器用パネル。
【発明の詳細な説明】
【技術分野】
【０００１】
本発明は、牛乳やジュース等の飲料液体を収容するゲーブルトップ型容器およびゲーブルトップ型容器用パネルに関する。
【背景技術】
【０００２】
従来、牛乳カートンに代表される飲料用の紙容器として、表裏面に熱可塑性樹脂を積層した板紙素材で構成されたゲーブルトップ型容器がある。ゲーブルトップ型容器は、飲料液体が収容される筒状胴部と、筒状胴部の上端に連設された切妻屋根とを備えている。切妻屋根は、一対の屋根パネルと、一対の切妻屋根間に内向きに折り込まれた一対の妻壁パネルと、一対の屋根パネルの上端部および一対の妻壁パネルの上端部を接合して形成されるトップシールとを備えている（例えば、特許文献１参照）。
【０００３】
このようなゲーブルトップ型容器を開封する際は、開封部側で一対の屋根パネルの間に指を差し入れつつ、これらの屋根パネルを互いに離反させて後方に折り返す（１次開封）。この状態で、左右方向からトップシールに力をかけながら妻壁パネルを前方に突出させることにより、屋根パネルから妻壁パネルを剥離させて開封する（２次開封）。
【先行技術文献】
【特許文献】
【０００４】
【特許文献１】特開２０１３−８６８６５号公報
【特許文献２】実開平４−２７７１９号公報
【発明の概要】
【発明が解決しようとする課題】
【０００５】
しかしながら、特許文献１に記載されたような従来のゲーブルトップ型容器は、２次開封時にトップシールに力をかけた場合、妻壁パネルが屋根パネルから剥離する前に折れ曲がってしまうので、開封性が十分でないという問題がある。
これに対し、特許文献２に記載に記載の引張片を設けたゲーブルトップ型容器が知られているが、引張片の基端部が注ぎ口を囲むように妻壁パネルに接着されているため、２次開封中に引張片が注ぎ口の変形に追従できずに妻壁パネルから剥離してしまい、開封性が十分でないという問題がある。
【０００６】
本発明の目的は、開封性を向上できるゲーブルトップ型容器およびゲーブルトップ型容器用パネルを提供することにある。
【課題を解決するための手段】
【０００７】
本発明のゲーブルトップ型容器は、筒状胴部と、前記筒状胴部の下端に連設された底部と、前記筒状胴部の上端に連設された切妻屋根とを備え、前記切妻屋根は、互いに対向する一対の屋根パネルと、前記一対の屋根パネルの対向方向に交差する方向で対向し、前記一対の屋根パネルの間に折り込まれる第１、第２、第３妻壁パネルと、前記一対の屋根パネルの上端部および前記第１、第２、第３妻壁パネルの上端部が接合されて形成されたトップシールとを備え、前記第１、第３妻壁パネルは、前記交差する方向の一方側から前記一対の屋根パネルの間に折り込まれ、前記第２妻壁パネルは、前記交差する方向の他方側から前記一対の屋根パネルの間に折り込まれ、前記第１妻壁パネルおよび前記第３妻壁パネルの一方は、前記第１妻壁パネルおよび前記第３妻壁パネルの他方に接着される糊代部を備えていることを特徴とする。
【０００８】
本発明によれば、第１妻壁パネルおよび第３妻壁パネルの一方が他方に接着される糊代部を備えているため、当該糊代部によって妻壁パネルの剛性を高くすることができる。従って、２次開封中に妻壁パネルが屋根パネルから剥離する前に折れ曲がってしまうことを防止できるため、ゲーブルトップ型容器の開封性を向上できる。
【０００９】
本発明のゲーブルトップ型容器において、前記切妻屋根は、前記第１妻壁パネルおよび前記第３妻壁パネルの前記他方に連なって形成された引張片を備えていることが好ましい。
【００１０】
本発明によれば、引張片が第１妻壁パネルまたは第３妻壁パネルに連なって形成されているため、引張片を妻壁パネルに接着せずに設けることができる。このため、引張片を設けることによる製造コストの上昇を抑制しつつ、ゲーブルトップ型容器の開封性を向上できる。
【００１１】
本発明のゲーブルトップ型容器において、前記糊代部は、前記トップシールを含む平面に沿って設けられていることが好ましい。
【００１２】
本発明によれば、糊代部がトップシールを含む平面に沿って設けられているため、当該平面に沿って妻壁パネルの強度を高めることができる。このため、トップシールの下方に力をかけて妻壁パネルを前方に突出させる場合でも、トップシールの接着面に確実に力を伝えることができるので、ゲーブルトップ型容器の開封性をより向上できる。
【００１３】
本発明のゲーブルトップ型容器用パネルは、ゲーブルトップ型容器を構成するゲーブルトップ型容器用パネルであって、前記ゲーブルトップ型容器の筒状胴部を構成する複数の胴部パネルと、前記ゲーブルトップ型容器の底部を構成する複数の底部パネルと、前記ゲーブルトップ型容器の切妻屋根を構成する一対の屋根パネルと、前記一対の屋根パネルとともに前記切妻屋根を構成する第１、第２、第３妻壁パネルとを備え、前記複数の胴部パネルは、互いに第１方向に連なり、前記複数の底部パネルは、互いに前記第１方向に連なるとともに、前記複数の胴部パネルの前記第１方向に直交する第２方向の一端に連なり、前記一対の屋根パネルおよび前記第１、第２、第３妻壁パネルは、前記第１妻壁パネル、前記一対の屋根パネルの一方、前記第２妻壁パネル、前記一対の屋根パネルの他方、前記第３妻壁パネルの順に前記第１方向に連なるとともに、前記複数の胴部パネルの前記第２方向の他端に連なり、前記第１妻壁パネルおよび前記第３妻壁パネルの一方は、前記第１妻壁パネルおよび前記第３妻壁パネルの他方に接着される糊代部を備えていることを特徴とする。
【００１４】
本発明によれば、開封性を向上できる前述したゲーブルトップ型容器を形成できる。
【図面の簡単な説明】
【００１５】
【図１】本発明の第１実施形態に係るゲーブルトップ型容器を示す斜視図。
【図２】図１のゲーブルトップ型容器の開封側トップシールを開いた状態の斜視図。
【図３】図１のゲーブルトップ型容器の展開図。
【図４】本発明の第２実施形態に係るゲーブルトップ型容器を示す斜視図。
【図５】図４のゲーブルトップ型容器の展開図。
【発明を実施するための形態】
【００１６】
以下、本発明の各実施形態を図面に基づいて説明する。
なお、以下の記載において方向を表す場合、図１に示すように、ゲーブルトップ型容器１を起立させた状態を基準とする。また、第２実施形態以降において、第１実施形態と同じ構成部材および同様な機能を有する構成部材には、第１実施形態の構成部材と同じ符号を付し、それらの説明を省略または簡略化する。
【００１７】
［第１実施形態］
図１および図２は、本実施形態に係るゲーブルトップ型容器１を示す斜視図である。図３は、ゲーブルトップ型容器１の展開図（ゲーブルトップ型容器用パネル（カートンブランクとも称する）１０の平面図）である。
図１から図３において、ゲーブルトップ型容器１は、筒状胴部２と、筒状胴部２の第２方向の一端としての下端に連設された底部３と、筒状胴部２の第２方向の他端としての上端に連設された切妻屋根４とを備えている。なお、ゲーブルトップ型容器１は、表裏面に熱可塑性樹脂を積層した板紙素材で構成される。
【００１８】
筒状胴部２は、第２方向としての上下方向に延びる胴部縦折線２０Ａ、２０Ｂ、２０Ｃ、２０Ｄを介して、第１方向としての水平方向に連なる５つの胴部パネル２１〜２５を備えている。胴部パネル２３の幅は、胴部パネル２１、２２、２４と比べて略半分の大きさに設定されている。胴部パネル２５は、胴部パネル２３に接着される糊代部２５１を備え、その幅が胴部パネル２３よりも糊代部２５１の分だけ大きく設定されている。胴部パネル２１〜２５は、胴部パネル２５の糊代部２５１が胴部パネル２３に加熱シールされることで、角筒状の筒状胴部２を形成する。
【００１９】
底部３は、底部縦折線３０Ａ、３０Ｂ、３０Ｃ、３０Ｄを介して水平方向に連なるとともに、底部横折線３０Ｅを介して胴部パネル２１〜２５の下端に連なる５つの底部パネル３１〜３５を備えている。
底部パネル３１、３２には、一対の谷折線３１１、３２１が形成されている。
底部パネル３５は、底部パネル３３に接着される糊代部３５１を備えている。
【００２０】
切妻屋根４は、互いに対向する一対の屋根パネル４１、４２と、一対の屋根パネル４１、４２の対向方向に交差する方向で対向し、一対の屋根パネル４１、４２の間に折り込まれる第１、第２、第３妻壁パネル４３、４４、４５と、一対の屋根パネル４１、４２の上端部４１３、４２３および第１、第２、第３妻壁パネル４３、４４、４５の上端部４３５、４４５、４５５が接合されて形成されたトップシール４６と、第１妻壁パネル４３に連なって形成された引張片４７とを備えている。一対の屋根パネル４１、４２および第１、第２、第３妻壁パネル４３、４４、４５は、第１妻壁パネル４３、屋根パネル４１、第２妻壁パネル４４、屋根パネル４２、第３妻壁パネル４５の順で水平方向に連なっている。
【００２１】
屋根パネル４１は、上下方向に延びる上部縦折線４０Ａ、４０Ｂを介して第１、第２妻壁パネル４３、４４に連なるとともに、水平方向に延びる上部横折線４１Ａを介して胴部パネル２１の上端に連なっている。この屋根パネル４１は、水平方向に沿って形成された谷折線４１１と、谷折線４１１の下方に設けられ、上部縦折線４０Ａに向かって下方（上部縦折線４０Ａと上部横折線４１Ａとの交点Ｐ１に向かう方向）に傾斜した谷折線４１２と、谷折線４１１の上方に位置する上端部４１３とを備えている。
【００２２】
屋根パネル４２は、上下方向に延びる上部縦折線４０Ｃ、４０Ｄを介して第２、第３妻壁パネル４４、４５に連なるとともに、水平方向に延びる上部横折線４２Ａを介して胴部パネル２２の上端に連なっている。この屋根パネル４２は、屋根パネル４１と線対称の形状に形成された点を除いて、屋根パネル４１と同様に構成されている。すなわち、屋根パネル４２は、水平方向に沿って形成された谷折線４２１と、谷折線４２１の下方に設けられ、上部縦折線４０Ｄに向かって下方（上部縦折線４０Ｄと上部横折線４２Ａとの交点Ｐ２に向かう方向）に傾斜した谷折線４２２と、谷折線４２１の上方に位置する上端部４２３とを備えている。
【００２３】
第１妻壁パネル４３は、水平方向に延びる上部横折線４３Ａを介して胴部パネル２３の上端に連なり、屋根パネル４１、４２の対向方向に交差する方向の一方側から屋根パネル４１、４２の間に折り込まれ、開封部を構成する。この第１妻壁パネル４３は、水平方向に沿って形成された山折線４３１と、交点Ｐ１から上方に傾斜して山折線４３１まで延びる谷折線４３２と、谷折線４３２および上部横折線４３Ａに囲まれた第１折込部４３３と、山折線４３１、谷折線４３２、および上部縦折線４０Ａに囲まれ、上部縦折線４０Ａを介して屋根パネル４１に連なる第２折込部４３４と、山折線４３１の上方に位置する上端部４３５とを備えている。
【００２４】
第２妻壁パネル４４は、水平方向に延びる上部横折線４４Ａを介して胴部パネル２４の上端に連なり、屋根パネル４１、４２の対向方向に交差する方向の他方側から屋根パネル４１、４２の間に折り込まれ、非開封部を構成する。この第２妻壁パネル４４は、水平方向に沿って形成された山折線４４１と、上部縦折線４０Ｂおよび上部横折線４４Ａの交点Ｐ３並びに上部縦折線４０Ｃおよび上部横折線４４Ａの交点Ｐ４から、山折線４４１の中央に位置する互いの交点Ｐ５まで延びる一対の谷折線４４２と、一対の谷折線４４２および上部横折線４１Ａに囲まれた第１折込部４４３と、第１折込部４４３を挟んだ両側（第１折込部４４３の水平方向両側）に設けられ、一対の屋根パネル４１、４２に連なる第２折込部４４４と、山折線４４１の上方に位置する上端部４４５とを備えている。
上端部４４５は、その水平方向の中央に交点Ｐ５から上方に延びる折返線４４６が設けられ、当該折返線４４６で折り返された状態でトップシール４６を形成する。
【００２５】
第３妻壁パネル４５は、水平方向に延びる上部横折線４５Ａを介して胴部パネル２５の上端に連なり、屋根パネル４１、４２の対向方向に交差する方向の一方側から屋根パネル４１、４２の間に折り込まれ、第１妻壁パネル４３とともに開封部を構成する。この第３妻壁パネル４５は、水平方向に沿って形成された山折線４５１と、山折線４５１上に位置する互いの交点Ｐ６まで延びる一対の谷折線４５２Ａ、４５２Ｂと、谷折線４５２Ａ、４５２Ｂおよび上部横折線４５Ａに囲まれた第１折込部４５３と、第１折込部４５３を挟んだ両側（第１折込部４５３の水平方向両側）に設けられた第２折込部４５４Ａ、４５４Ｂと、山折線４５１の上方に位置する上端部４５５と、第１妻壁パネル４３に接着される糊代部４５６とを備えている。
谷折線４５２Ａは、交点Ｐ２から上方に傾斜して交点Ｐ６まで延びている。この谷折線４５２Ａは、第１妻壁パネル４３の谷折線４３２と線対称の形状に形成されている。すなわち、谷折線４５２Ａの長さおよび上部横折線４５Ａに対する傾斜角度は、谷折線４３２の長さおよび上部横折線４３Ａに対する傾斜角度と同じ大きさに設定されている。
谷折線４５２Ｂは、上部横折線４５Ａに対する傾斜角度が上部横折線４３Ａに対する谷折線４３２の傾斜角度と同じ大きさに設定されている。
上端部４５５は、交点Ｐ６から上方に延びる折返線４５７を備え、当該折返線４５７で折り返された状態でトップシール４６を形成する。折返線４５７および交点Ｐ６は、糊代部４５６が第１妻壁パネル４３に接着されたときに、上部縦折線４０Ａと上部縦折線４０Ｄとの中間に位置する。
糊代部４５６は、第３妻壁パネル４５における折返線４５７の延長線Ｌ１から上部縦折線４０Ｄの反対側の領域で構成される。すなわち、糊代部４５６は、第１折込部４５３における延長線Ｌ１から上部縦折線４０Ｄの反対側の領域と、延長線Ｌ１に対して上部縦折線４０Ｄの反対側の第２折込部４５４Ｂとで構成される。この糊代部４５６は、トップシール４６を含む平面に沿って設けられている。
【００２６】
引張片４７は、ゲーブルトップ型容器用パネル１０において第１妻壁パネル４３と一体に形成され、上部縦折線４０Ｅを介して第１妻壁パネル４３に連なっている。この引張片４７は、略三角形状に形成され、ゲーブルトップ型容器１が形成されたときにトップシール４６と干渉せず、かつ、切妻屋根４から外側に張り出さないようになっている。
【００２７】
以上のゲーブルトップ型容器１は、図３に示すゲーブルトップ型容器用パネル１０から、次のような手順で形成される。
先ず、ゲーブルトップ型容器用パネル１０の糊代部２５１、３５１、４５６を胴部パネル２３、底部パネル３３、第１妻壁パネル４３に加熱シールし、カートンブランクを形成する。このカートンブランクが角筒状とされた状態において、底部パネル３１、３２を谷折線３１１、３２１に沿って谷折りしながら、底部横折線３０Ｅにより底部パネル３３、３４、３５間に内向きに折り込み、底部パネル３３、３４、３５と重ね合わせる。そして、底部パネル３１〜３５の重ね合わせ部分全体を加熱シールし、底部３を形成する。
【００２８】
次いで、谷折線４３２、４４２、４５２Ａ、４５２Ｂで第２折込部４３４、４４４、４５４Ａ、４５４Ｂを折り返しながら、上部横折線４３Ａ、４４Ａ、４５Ａで第１折込部４３３、４４３、４５３を内向きに折り込んで、屋根パネル４１、４２の間に第１、第２、第３妻壁パネル４３、４４、４５を折り込む。この際、屋根パネル４１、４２は、第１、第２、第３妻壁パネル４３、４４、４５の折り込みに連動して、上部横折線４１Ａ、４２Ａにより内向きに折り曲げられる。そして、屋根パネル４１、４２を谷折線４１１、４２１に沿って谷折りするとともに、第１、第２、第３妻壁パネル４３、４４、４５を山折線４３１、４４１、４５１に沿って山折りし、折返線４４６、４５７で折り返された第１、第２、第３妻壁パネル４３、４４、４５の上端部４３５、４４５、４５５を屋根パネル４１、４２の上端部４１３、４２３間に介在させる。そして、上端部４１３、４２３、４３５、４４５、４５５を互いに加熱シールし、トップシール４６を形成する。
【００２９】
一方、ゲーブルトップ型容器１を開封する際は、第１、第３妻壁パネル４３、４５側で一対の屋根パネル４１、４２の間に指を差し入れつつ、図２に示すように、屋根パネル４１、４２を互いに離反させ、屋根パネル４１、４２および第１、第３妻壁パネル４３、４５を後方に折り返す（１次開封）。この状態で、左右方向からトップシール４６に力をかけながら第１、第３妻壁パネル４３、４５を前方に突出させることにより、屋根パネル４１、４２から第１、第３妻壁パネル４３、４５を剥離させて開封する（２次開封）。これにより、第１、第３妻壁パネル４３、４５で注ぎ口が形成され、当該注ぎ口で内部の飲料液体を注ぐことが可能となる。
【００３０】
以上のような実施形態によれば、第３妻壁パネル４５が第１妻壁パネル４３に接着される糊代部４５６を備えているため、当該糊代部４５６によって妻壁パネルの剛性を高くすることができる。従って、２次開封中に妻壁パネルが屋根パネル４１、４２から剥離する前に折れ曲がってしまうことを防止できるため、ゲーブルトップ型容器１の開封性を向上できる。
また、ゲーブルトップ型容器１の形状が、開封部側と非開封部側とで非対称になっているため、目視による開封部の判別を容易に行うことができる。
【００３１】
また、引張片４７が設けられているため、２次開封時に当該引張片４７を引っ張ることで、屋根パネル４１、４２に対する第１、第３妻壁パネル４３、４５の剥離を促すことができる。
また、引張片４７が第１妻壁パネル４３に連なって形成されているため、引張片４７を妻壁パネルに接着せずに設けることができる。このため、引張片４７を設けることによる製造コストの上昇を抑制しつつ、ゲーブルトップ型容器１の開封性を向上できる。
【００３２】
また、糊代部４５６がトップシール４６を含む平面に沿って設けられているため、当該平面に沿って妻壁パネルの強度を高めることができる。このため、トップシール４６の下方に力をかけて第１、第３妻壁パネル４３、４５を前方に突出させる場合でも、トップシール４６の接着面に確実に力を伝えることができるので、ゲーブルトップ型容器１の開封性をより向上できる。
【００３３】
［第２実施形態］
図４は、第２実施形態に係るゲーブルトップ型容器１Ａを示す斜視図である。図５は、ゲーブルトップ型容器１Ａの展開図（ゲーブルトップ型容器用パネル１０Ａの平面図）である。
図４および図５において、筒状胴部２は、上下方向に延びる胴部縦折線２０Ｂ、２０Ｃ、２０Ｄを介して水平方向に連なる４つの胴部パネル２１、２２、２４、２６と、胴部パネル２６に胴部縦折線２０Ｅを介して連なるシールパネル２７とを備えている。胴部パネル２１、２２、２４、２６は、シールパネル２７が胴部パネル２１に加熱シールされることで、角筒状の筒状胴部２を形成する。
【００３４】
底部３は、底部縦折線３０Ｂ、３０Ｃ、３０Ｄを介して互いに連なるとともに、底部横折線３０Ｅを介して胴部パネル２１、２２、２４、２６の下端に連なる４つの底部パネル３１、３２、３４、３６と、底部パネル３６に底部縦折線３０Ｆを介して連なるとともに、シールパネル２７の下端に連なり、底部パネル３１に接着されるシールパネル３７とを備えている。
【００３５】
切妻屋根４は、互いに対向する一対の屋根パネル４１、４２と、一対の屋根パネル４１、４２の対向方向に交差する方向で対向し、一対の屋根パネル４１、４２の間に折り込まれる第１、第２、第３妻壁パネル４３、４４、４８と、第３妻壁パネル４８に上部縦折線４０Ｆを介して連なるとともに、シールパネル２７の上端に連なり、屋根パネル４１に接着されるシールパネル４９と、一対の屋根パネル４１、４２の上端部４１３、４２３および第１、第２、第３妻壁パネル４３、４４、４８の上端部４３５、４４５、４８５が接合されて形成されたトップシール４６と、第１妻壁パネル４３に連なって形成された引張片４７とを備えている。
【００３６】
第３妻壁パネル４８は、水平方向に延びる上部横折線４８Ａを介して胴部パネル２６の上端に連なり、第１妻壁パネル４３とともに開封部を構成する。この第３妻壁パネル４８は、糊代部４８６が略Ｌ字状に形成された点、および糊代部４８６が上部縦折線４０Ｆを介してシールパネル４９に連なる点を除いて、第３妻壁パネル４５と同様に構成されている。このため、第３妻壁パネル４８については、第３妻壁パネル４５の符号の先頭から２番目の５の記号を８に置き換えて図示し、その説明を省略する。
【００３７】
以上のような実施形態によれば、第１実施形態と同様の効果が得られる。
【００３８】
［変形例］
なお、本発明は前述した実施形態に限定されるものではなく、本発明の目的を達成できる範囲での変形、改良等は本発明に含まれる。
例えば、筒状胴部２は、断面３角形の角筒状や断面５角以上の角筒状であってもよい。また、筒状胴部２は、角筒状のものに限られず、例えば、円筒状のであってもよい。
前記実施形態では、上部横折線４１Ａ〜４５Ａ、４８Ａは、直線状に形成されていたが、これに限られず、曲線状に形成されてもよい。例えば、上部横折線４１Ａ〜４５Ａ、４８Ａは、下に向かって凸状の曲線であってもよい。
【００３９】
前記実施形態では、胴部縦折線２０Ａ〜２０Ｅは、直線状に形成されていたが、これに限られず、曲線状に形成されてもよい。例えば、胴部縦折線２０Ａ〜２０Ｅは、ゲーブルトップ型容器１の内側に向かって凸状の曲線であってもよい。また、胴部縦折線２０Ａ、２０Ｂが互いに向かって凸状の曲線で、かつ胴部縦折線２０Ｃ、２０Ｄが互いに向かって凸状の曲線であってもよい。
前記実施形態では、糊代部２５１は、胴部パネル２５に設けられていたが、胴部パネル２３に設けられてもよい。
【００４０】
前記実施形態では、第３妻壁パネル４５は、第２妻壁パネル４４と異なる構成とされていたが、第２妻壁パネル４４と同じ構成としてもよい。この場合、糊代部４５６の面積が増えるので、第１妻壁パネル４３と第３妻壁パネル４５とが重なる面積が増え、妻壁パネルの剛性をより高くすることができる。
【００４１】
前記実施形態では、引張片４７は、第１妻壁パネル４３に連なって形成されたが、第３妻壁パネル４５、４８に連なって形成されてもよい。この場合、糊代部４５６、４８６は、第１妻壁パネル４３に設けることができる。
【００４２】
前記実施形態では、ゲーブルトップ型容器１の上部が開封部側と非開封部側とで異なる形状とされていたが、非開封部側を開封部側と同じ形状にしてもよい。
【００４３】
前記実施形態では、シールパネル２７、３７、４９は、同幅をもって形成されているが、これに限られず、シールパネル２７、３７、４９をそれぞれ異なる幅に形成してもよいし、シールパネル２７、３７、４９のうちの何れか２つのみを同じ幅に形成してもよい。また、シールパネル２７、３７、４９は、上下方向で幅寸法が一定である必要はなく、幅寸法を部分的に変えてもよい。
【００４４】
本発明は、牛乳やジュース等の飲料液体や、ヨーグルトやゼリー等のゲル状食品を収容可能な様々なゲーブルトップ型容器に利用できる。
【符号の説明】
【００４５】
１、１Ａ…ゲーブルトップ型容器、２…筒状胴部、３…底部、４…切妻屋根、１０、１０Ａ…ゲーブルトップ型容器用パネル、４１、４２…屋根パネル、４３…第１妻壁パネル、４４…第２妻壁パネル、４５、４８…第３妻壁パネル、４６…トップシール、４７…引張片、４１３、４２３、４３５、４４５、４５５、４８５…上端部、４５６、４８６…糊代部。
【図１】
2017178389.tif 000003
【図２】
2017178389.tif 000004
【図３】
2017178389.tif 000005
【図４】
2017178389.tif 000006
【図５】
2017178389.tif 000007